(57)【特許請求の範囲】
【請求項１】
電気外科用デバイスにおいて損失を補償する方法であって、該方法は、
該電気外科用デバイスによって発生させられ、組織部位に適用される電気外科信号の電圧および電流を感知することにより、感知された電圧および感知された電流を取得することと、
該感知された電圧および該感知された電流に基づいて位相値を予測することにより、予測された位相値を取得することと、
該感知された電圧と、該感知された電流と、該予測された位相値と、該電気外科用デバイスに関連する少なくとも１つのインピーダンス損失モデルパラメータとに基づいて、該組織部位における少なくとも１つのメトリックを計算することと
を含み、
該位相値を予測することは、
該感知された電圧および該感知された電流に基づいて、感知されたインピーダンス値を計算することと、
該感知されたインピーダンス値の多項式関数に基づいて、該位相値を予測することと
を含む、方法。
【請求項２】
前記組織における少なくとも１つのメトリックを計算することは、
前記予測された位相値に基づいて、前記感知された電圧を複素電圧値に変換することと、
該予測された位相値に基づいて、前記感知された電流を複素電流値に変換することと、
該複素電圧値と、該複素電流値と、前記少なくとも１つの損失モデルパラメータとに基づいて該組織における少なくとも１つのメトリックを計算することと
を含む、請求項１に記載の方法。
【請求項３】
前記多項式関数は、三次多項式関数である、請求項１に記載の方法。
【請求項４】
前記少なくとも１つのインピーダンス損失モデルパラメータは、ソースインピーダンスパラメータおよび漏れインピーダンスパラメータを含む、請求項１に記載の方法。
【請求項５】
前記組織部位における少なくとも１つのメトリックを計算することは、
前記感知された電流に前記ソースインピーダンスパラメータを掛け、ソースインピーダンス電圧値を取得することと、
前記感知された電圧から該ソースインピーダンス電圧値を差し引き、負荷電圧値を取得することと、
該負荷電圧値を前記漏れインピーダンスパラメータで割り、漏れ電流値を取得することと、
該感知された電流から該漏れ電流値を差し引き、負荷電流値を取得することと
を含む、請求項４に記載の方法。
【請求項６】
前記少なくとも１つのメトリックは、負荷電圧および負荷電流を含む、請求項１に記載の方法。
【請求項７】
前記少なくとも１つのメトリックは、電力を含む、請求項１に記載の方法。
【請求項８】
前記少なくとも１つのメトリックは、負荷インピーダンスを含む、請求項１に記載の方法。
【請求項９】
電気外科用デバイスであって、該電気外科用デバイスは、
電気外科用エネルギーを組織に適用する少なくとも１つの電極と、
送信ラインを介して該少なくとも１つの電極に電気的に接続された電気外科用エネルギー出力ステージであって、該電気外科用エネルギー出力ステージは、電気外科用エネルギーを発生させるように構成されている、電気外科用エネルギー出力ステージと、
該電気外科用エネルギー出力ステージに接続された電圧センサおよび電流センサであって、該電圧センサは、該電気外科用エネルギーの電圧を感知し、感知された電圧を取得するように構成されており、該電流センサは、該電気外科用エネルギーの電流を感知し、感知された電流を取得するように構成されている、電圧センサおよび電流センサと、
該送信ラインに関連する少なくとも１つのインピーダンス損失モデルパラメータを格納するメモリと、
該電圧センサと、該電流センサと、該メモリとに接続されたプロセッサと
を含み、
該プロセッサは、
該感知された電圧および該感知された電流に基づいて、センサインピーダンス値を計算することと、
該センサインピーダンス値の多項式関数に基づいて位相値を予測することにより、予測された位相値を取得することと、
該少なくとも１つのインピーダンス損失モデルパラメータを取り出すことと、
該感知された電圧の値と、該感知された電流の値と、該予測された位相値と、該少なくとも１つのインピーダンス損失モデルパラメータとに基づいて、該組織における少なくとも１つのメトリックを計算することと
を行うように構成されている、電気外科用デバイス。
【請求項１０】
前記少なくとも１つのメトリックは、負荷電圧および負荷電流を含む、請求項９に記載の電気外科用デバイス。
【請求項１１】
前記少なくとも１つのメトリックは、電力を含む、請求項９に記載の電気外科用デバイス。
【請求項１２】
前記少なくとも１つのメトリックは、負荷インピーダンスを含む、請求項９に記載の電気外科用デバイス。
【請求項１３】
前記多項式関数は、三次多項式関数である、請求項９に記載の電気外科用デバイス。
【請求項１４】
前記少なくとも１つのインピーダンス損失モデルパラメータは、ソースインピーダンスパラメータおよび漏れインピーダンスパラメータを含む、請求項９に記載の電気外科用デバイス。
【発明の詳細な説明】
【技術分野】
【０００１】
（１．技術分野）
本開示は概して、電気外科に関する。より詳細には、本開示は、コードレスまたは固定リアクタンスケーブル式電気外科システムにおいて損失を補償し、正確な電気的測定値を取得するためのシステムおよび方法に関する。
【背景技術】
【０００２】
（２．関連技術の背景）
電気外科は、外科処置中に生物学的組織を切断または改変するための高周波電流の適用を含む。電気外科は、電気外科用ジェネレータ、アクティブ電極、およびリターン電極を使用して実行される。電気外科用ジェネレータ（電源または波形ジェネレータとも称される）は、交流（ＡＣ）を発生させ、交流は、アクティブ電極を介して患者の組織に適用され、リターン電極を介して電気外科用ジェネレータに戻される。交流は通常、筋肉および／または神経への刺激を避けるために１００キロヘルツを上回る周波数を有する。
【０００３】
電気外科手術中において、電気外科用ジェネレータによって発生させられた交流は、アクティブ電極とリターン電極との間に配置された組織を通して伝導される。組織のインピーダンスは、交流に関連する電気エネルギー（電気外科用エネルギーとも称される）を熱に変換し、熱は、組織温度を上昇させる。電気外科用ジェネレータは、組織に提供される電力（すなわち、時間当たりの電気エネルギー）を制御することによって組織の発熱を制御する。多くの他の変数が、組織の発熱総量に影響を与えるが、しかし、電流密度の増加は、普通、発熱量の増加につながる。電気外科用エネルギーは通常、組織を切断すること、切開すること、切除すること、凝固させること、および／または密封することのために使用される。
【０００４】
電気外科用ジェネレータは、ある時間にわたって組織に適用される電力を制御するコントローラを含む。組織に適用される電力は、電力測定値と、ユーザによって設定される電力レベルまたは所望の組織効果を達成するために必要とされる電力レベルとに基づいて制御される。電力測定値は、電気外科用ジェネレータのＲＦ出力ステージによって発生させられたＲＦ信号の電圧および電力を測定すること、ならびに測定された電圧および電流に基づいて電力を計算することによって取得される。
【０００５】
しかしながら、電気外科用ジェネレータのセンサによって測定される電圧および電流は、電気外科用ジェネレータのＲＦ出力ステージを電気外科用器具の電極に接続する送信ラインにおけるＲＦインピーダンス損失により、組織に適用されている実際の電圧および電流と等しくないことがあり得る。その結果として、電力計算は、不正確であり得、組織に適用される電気外科用エネルギーの不正確な制御につながり得る。
【０００６】
ＲＦインピーダンス損失の電力およびインピーダンス計算に対する影響は、電圧と電流との間の位相をより正確にサンプリングすることによって低減され得る。しかしながら、この方法は、より大きな計算の複雑さおよび、より高価な高速度のハードウエアを必要とする。
【発明の概要】
【課題を解決するための手段】
【０００７】
本開示のシステムおよび方法は、予測された位相値に基づいて組織に適用されている実際の電力および／または組織部位における実際のインピーダンスを正確に決定する。位相値を予測する開示された方法は単純であり、少ない計算の複雑さを必要とし、普通に入手可能であるマイクロプロセッサ、フィールドプログラマブルゲートアレイ（ＦＰＧＡ）、またはデジタル信号プロセッサ（ＤＳＰ）を使用して実行され得る。
【０００８】
一局面において、本開示は、電気外科用デバイスにおいて損失を補償する方法を特徴とする。この方法に従って、電気外科用デバイスによって発生させられ、組織部位に適用される電気外科信号の電圧および電流は、感知された電圧および感知された電流を取得するために感知される。次に、位相値は、予測された位相値を取得するために、感知された電圧および感知された電流に基づいて予測される。そして、組織部位における少なくとも１つのメトリックは、感知された電圧と、感知された電流と、予測された位相値と、電気外科用デバイスに関連する少なくとも１つのインピーダンス損失モデルパラメータとに基づいて計算される。
【０００９】
組織における少なくとも１つのメトリックは、（１）予測された位相値に基づいて、感知された電圧を複素電圧値に変換することと、（２）予測された位相値に基づいて、感知された電流を複素電流値に変換することと、（３）複素電圧値と、複素電流値と、少なくとも１つの損失モデルパラメータとに基づいて組織における少なくとも１つのメトリックを計算することとによって計算され得る。少なくとも１つのインピーダンス損失モデルパラメータは、ソースインピーダンスパラメータおよび漏れインピーダンスパラメータを含み得る。
【００１０】
位相値は、感知された電圧および感知された電流に基づいて、感知されたインピーダンス値を計算することと、感知されたインピーダンス値に基づいて位相値を予測することとによって予測され得る。位相値は、感知されたインピーダンス値の多項式関数（例えば、三次多項式関数）に基づいて予測され得る。
【００１１】
組織部位における少なくとも１つのメトリックは、負荷電流であり、（１）感知された電流にソースインピーダンスパラメータを掛け、ソースインピーダンス電圧値を取得することと、（２）感知された電圧からソースインピーダンス電圧値を差し引き、負荷電圧値を取得することと、（３）負荷電圧値を漏れインピーダンスパラメータで割り、漏れ電流値を取得することと、（４）感知された電流から漏れ電流値を差し引き、負荷電流値を取得することとによって計算され得る。少なくとも１つのメトリックは、負荷電流、負荷電圧、電力、負荷インピーダンス、またはそれらのメトリックの任意の組み合わせを含み得る。
【００１２】
別の局面において、本開示は、電気外科用デバイスを特徴とする。電気外科用デバイスは、電気外科用エネルギーを組織に適用する少なくとも１つの電極と、送信ラインを介して少なくとも１つの電極に電気的に接続された電気外科用エネルギー出力ステージとを含む。電気外科用エネルギー出力ステージは、電気外科用エネルギーを発生させる。電気外科用デバイスは、電気外科用エネルギー出力ステージに接続された電圧センサおよび電流センサも含む。電圧センサは、電気外科用エネルギーの電圧を感知し、感知された電圧を取得するように構成されており、電流センサは、電気外科用エネルギーの電流を感知し、感知された電流を取得するように構成されている。
【００１３】
電気外科用デバイスは、送信ラインに関連する少なくとも１つのインピーダンス損失モデルパラメータを格納するメモリと、電圧センサ、電流センサ、およびメモリとに接続されたプロセッサとも含む。プロセッサは、（１）感知された電圧および感知された電流に基づいて、センサインピーダンス値を計算し、（２）センサインピーダンス値に基づいて位相値を予測することにより、予測された位相値を取得し、（３）少なくとも１つのインピーダンス損失モデルパラメータを取り出し、（４）感知された電圧の値と、感知された電流の値と、予測された位相値と、少なくとも１つのインピーダンス損失モデルパラメータとに基づいて、組織における少なくとも１つのメトリックを計算する。
【００１４】
少なくとも１つのメトリックは、負荷電圧、負荷電流、電力、負荷インピーダンス、またはそれらのメトリックの任意の組み合わせを含み得る。プロセッサは、感知されたインピーダンス値の多項式関数（例えば、三次多項式関数）に基づいて、位相値を予測し得る。少なくとも１つのインピーダンス損失モデルパラメータは、ソースインピーダンスパラメータおよび漏れインピーダンスパラメータを含み得る。
【００１５】
例えば、本発明は以下を提供する。
（項目１）
電気外科用デバイスにおいて損失を補償する方法であって、該方法は、
該電気外科用デバイスによって発生させられ、組織部位に適用される電気外科信号の電圧および電流を感知することにより、感知された電圧および感知された電流を取得することと、
該感知された電圧および該感知された電流に基づいて位相値を予測することにより、予測された位相値を取得することと、
該感知された電圧と、該感知された電流と、該予測された位相値と、該電気外科用デバイスに関連する少なくとも１つのインピーダンス損失モデルパラメータとに基づいて、該組織部位における少なくとも１つのメトリックを計算することと
を含む、方法。
（項目２）
上記組織における少なくとも１つのメトリックを計算することは、
上記予測された位相値に基づいて、上記感知された電圧を複素電圧値に変換することと、
該予測された位相値に基づいて、上記感知された電流を複素電流値に変換することと、
該複素電圧値と、該複素電流値と、上記少なくとも１つの損失モデルパラメータとに基づいて該組織における少なくとも１つのメトリックを計算することと
を含む、上記項目に記載の方法。
（項目３）
上記位相値を予測することは、
上記感知された電圧および上記感知された電流に基づいて、感知されたインピーダンス値を計算することと、
該感知されたインピーダンス値に基づいて該位相値を予測することと
を含む、上記項目のいずれかに記載の方法。
（項目４）
上記位相値を予測することは、上記感知されたインピーダンス値の多項式関数に基づいて、該位相値を予測することを含む、上記項目のいずれかに記載の方法。
（項目５）
上記多項式関数は、三次多項式関数である、上記項目のいずれかに記載の方法。
（項目６）
上記少なくとも１つのインピーダンス損失モデルパラメータは、ソースインピーダンスパラメータおよび漏れインピーダンスパラメータを含む、上記項目のいずれかに記載の方法。
（項目７）
上記組織部位における少なくとも１つのメトリックを計算することは、
上記感知された電流に上記ソースインピーダンスパラメータを掛け、ソースインピーダンス電圧値を取得することと、
上記感知された電圧から該ソースインピーダンス電圧値を差し引き、負荷電圧値を取得することと、
該負荷電圧値を上記漏れインピーダンスパラメータで割り、漏れ電流値を取得することと、
該感知された電流から該漏れ電流値を差し引き、負荷電流値を取得することと
を含む、上記項目のいずれかに記載の方法。
（項目８）
上記少なくとも１つのメトリックは、負荷電圧および負荷電流を含む、上記項目のいずれかに記載の方法。
（項目９）
上記少なくとも１つのメトリックは、電力を含む、上記項目のいずれかに記載の方法。
（項目１０）
上記少なくとも１つのメトリックは、負荷インピーダンスを含む、上記項目のいずれかに記載の方法。
（項目１１）
電気外科用デバイスであって、該電気外科用デバイスは、
電気外科用エネルギーを組織に適用する少なくとも１つの電極と、
送信ラインを介して該少なくとも１つの電極に電気的に接続された電気外科用エネルギー出力ステージであって、該電気外科用エネルギー出力ステージは、電気外科用エネルギーを発生させるように構成されている、電気外科用エネルギー出力ステージと、
該電気外科用エネルギー出力ステージに接続された電圧センサおよび電流センサであって、該電圧センサは、該電気外科用エネルギーの電圧を感知し、感知された電圧を取得するように構成されており、該電流センサは、該電気外科用エネルギーの電流を感知し、感知された電流を取得するように構成されている、電圧センサおよび電流センサと、
該送信ラインに関連する少なくとも１つのインピーダンス損失モデルパラメータを格納するメモリと、
該電圧センサと、該電流センサと、該メモリとに接続されたプロセッサと
を含み、
該プロセッサは、
該感知された電圧および該感知された電流に基づいて、センサインピーダンス値を計算することと、
該センサインピーダンス値に基づいて位相値を予測することにより、予測された位相値を取得することと、
該少なくとも１つのインピーダンス損失モデルパラメータを取り出すことと、
該感知された電圧の値と、該感知された電流の値と、該予測された位相値と、該少なくとも１つのインピーダンス損失モデルパラメータとに基づいて、該組織における少なくとも１つのメトリックを計算することと
を行うように構成されている、電気外科用デバイス。
（項目１２）
上記少なくとも１つのメトリックは、負荷電圧および負荷電流を含む、上記項目のいずれかに記載の電気外科用デバイス。
（項目１３）
上記少なくとも１つのメトリックは、電力を含む、上記項目のいずれかに記載の電気外科用デバイス。
（項目１４）
上記少なくとも１つのメトリックは、負荷インピーダンスを含む、上記項目のいずれかに記載の電気外科用デバイス。
（項目１５）
上記プロセッサは、上記感知されたインピーダンス値の多項式関数に基づいて、上記位相値を予測するように構成されている、上記項目のいずれかに記載の電気外科用デバイス。
（項目１６）
上記多項式関数は、三次多項式関数である、上記項目のいずれかに記載の電気外科用デバイス。
（項目１７）
上記少なくとも１つのインピーダンス損失モデルパラメータは、ソースインピーダンスパラメータおよび漏れインピーダンスパラメータを含む、上記項目のいずれかに記載の電気外科用デバイス。
【００１６】
（摘要）
本開示のシステムおよび方法は、固定されているか、もしくは既知のリアクタンスを備えている外部のケーブル布線を有していないか、または有している電気外科システムに関連するインピーダンス損失モデルパラメータを較正し、較正されたインピーダンス損失モデルパラメータを使用して電気外科用デバイスの送信ラインに関連するインピーダンス損失を補償することによって、組織部位の正確な電気的測定値を取得する。コンピュータシステムは、ある範囲の様々なテスト用負荷に対する電圧および電流センサデータを格納し、各テスト負荷に対する感知されたインピーダンス値を計算する。次に、コンピュータシステムは、それぞれの負荷インピーダンス値を使用して各負荷に対する位相値を予測する。コンピュータシステムは、電圧および電流センサデータ、予測された位相値、およびテスト用負荷のインピーダンス値に基づいて、ソースインピーダンスパラメータおよび漏れインピーダンスパラメータを含むインピーダンス損失モデルパラメータを逆算する。動作中において、電気外科用デバイスは、電圧および電流を感知し、感知された電圧および電流に基づいて位相値を予測し、感知された電圧および電流、予測された位相値、ソースインピーダンスパラメータ、および漏れインピーダンスパラメータに基づいて組織部位におけるメトリック（ｍｅｔｒｉｃ）を計算する。
【図面の簡単な説明】
【００１７】
本開示の様々な実施形態が、添付の図面を参照して記述される。
【図１】図１は、本開示の実施形態による、電気外科システムのコンポーネントの斜視図である。
【図２】図２は、本開示の実施形態による、較正コンピュータシステムと通信する電気外科システムのブロック図である。
【図３】図３は、本開示の実施形態による、較正コンピュータシステムと通信する携帯用ハンドヘルド電気外科システムのブロック図である。
【図４】図４は、本開示の一部の実施形態による、インピーダンス損失モデルパラメータを較正する方法の流れ図である。
【図５】図５は、図４のインピーダンス損失モデルパラメータを計算する方法の流れ図である。
【図６】図６は、本開示の他の実施形態による、インピーダンス損失モデルパラメータ、すなわちソースインピーダンスパラメータおよび漏れインピーダンスパラメータを較正する方法の流れ図である。
【図７】図７は、本開示の一部の実施形態による、図６のソースインピーダンスパラメータを計算する方法の流れ図である。
【図８】図８は、本開示の一部の実施形態による、図６の漏れインピーダンスパラメータを計算する方法の流れ図である。
【図９】図９は、本開示の他の実施形態による、図６のソースインピーダンスパラメータおよび漏れインピーダンスパラメータを計算する方法の流れ図である。
【図１０】図１０は、本開示の一部の実施形態による、図７および図９のソースインピーダンスパラメータを逆算する方法の流れ図である。
【図１１】図１１は、本開示の一部の実施形態による、図８および図９の漏れインピーダンスパラメータを逆算する方法の流れ図である。
【図１２】図１２は、本開示の実施形態による、電気外科システムにおける損失を補償する方法の流れ図である。
【図１３】図１３は、本開示の一部の実施形態による、図１２の少なくとも１つのメトリックを計算する方法の流れ図である。
【図１４】図１４は、本開示の一部の実施形態による、図１２の位相値を予測する方法の流れ図である。
【図１５】図１５は、本開示の他の実施形態による、図１２の少なくとも１つのメトリックを計算する方法の流れ図である。
【発明を実施するための形態】
【００１８】
（詳細な説明）
本開示のシステムおよび方法は、電気外科システム内の送信ラインに関連するインピーダンス損失モデルを較正する。これらのシステムおよび方法は、電気外科システムの出力部に結合されているテスト用負荷に適用されている電圧および電流を感知することと、感知されたインピーダンスを計算することと、該感知されたインピーダンスに基づいて電圧と電流との間の位相を予測することと、測定された電圧および電流、電圧と電流との間の予測された位相、およびテスト用負荷の所定のインピーダンスに基づいて少なくとも１つの内部インピーダンス値を計算することとを含む。
【００１９】
本開示のシステムおよび方法はまた、較正されたインピーダンス損失モデルを使用して電気外科システムの送信ラインにおけるインピーダンス損失を補償する。これらのシステムおよび方法は、電気外科システムによって発生させられ、組織部位に適用されている電気外科信号の電圧および電流を感知することと、感知された電圧および感知された電流に基づいて位相値を予測することと、感知された電圧、感知された電流、予測された位相値、および電気外科システムの送信ラインまたはケーブルに関連する少なくとも１つのインピーダンス損失モデルパラメータに基づいて組織部位における少なくとも１つのメトリック（ｍｅｔｒｉｃ）を計算することとを含む。
【００２０】
図１は、電気外科システム１００の斜視図であり、電気外科システム１００は、本開示の実施形態による較正および補償のシステムならびに方法を組み込む。電気外科システム１００は、電気外科用エネルギーを発生させるための電気外科用ジェネレータ１０２と、ジェネレータ１０２に電気的に接続し、外科処置中に組織に電気外科用エネルギーを送達する様々な電気外科用器具１１２、１１４とを含む。以下にさらに詳細に記述されるように、ジェネレータ１０２は、電子回路網（例えば、アナログおよびデジタル回路網）を含み、この電子回路網は、インピーダンスを測定し、組織に送達される電力を計算する。
【００２１】
電気外科用ジェネレータ１０２は、様々な電気外科用器具、例えばリターンパッド１１０、単極アクティブ電極１１２、および双極電気外科用鉗子１１４とインターフェースするための複数の出力部、例えば端子１０４および１０６を含む。リターンパッド１１０および単極アクティブ電極１１２は、単極電気外科処置を実行するために使用され、双極電気外科用鉗子は、双極電気外科処置を実行するために使用される。電気外科用ジェネレータ１０２は電子回路網を含み、この電子回路網は、様々な電気外科モード（例えば、切断、凝固、または切除）および処置（例えば、単極、双極、または脈管密封）に対する無線周波電力を発生させる。
【００２２】
電気外科用器具１１２、１１４は、患者の組織を治療するための１つ以上の電極（例えば、電気外科用切断プローブまたは切除電極（図示されず））を含む。電気外科用エネルギー、例えば無線周波数（ＲＦ）電流は、電気外科用ジェネレータ１０２のアクティブ端子１０４に接続されている供給ライン１１６を介して電気外科用ジェネレータ１０２によって単極アクティブ電極１１２に供給され、単極アクティブ電極１１２が、組織を凝固し、密封し、切除し、かつ／または他の方法で組織を治療することを可能にする。電気外科用電流は、電気外科用ジェネレータ１０２のリターン端子１０６へ繋がっているリターンパッド１１０のリターンライン１１８を介して、組織からジェネレータ１０２へ戻る。アクティブ端子１０４およびリターン端子１０６はコネクタ（図示されず）を含み得、これらコネクタは、単極アクティブ電極１１２の供給ライン１１６の端末およびリターンパッド１１０のリターンライン１１８の端末に配置されているプラグ（これらも図示されず）とインターフェースするように構成されている。
【００２３】
リターンパッド１１０はリターン電極１２０および１２２を含み、リターン電極１２０および１２２は、患者の組織との全体的な接触面積を最大にすることによって、組織への損傷のリスクを最小にするように配列されている。さらに、電気外科用ジェネレータ１０２およびリターンパッド１１０は、組織と患者との接触をモニタするように構成され、リターンパッド１１０と患者との間に十分な接触が存在することを確実にすることにより、組織への損傷のリスクを最小にする。
【００２４】
電気外科システム１００は、患者の組織を治療するための電極１２４、１２６を有する双極電気外科用鉗子１１４も含む。双極電気外科用鉗子１１４は、対向する顎部材１３４、１３６を含む。第１の顎部材１３４はアクティブ電極１２４を含み、第２の顎部材１３６はリターン電極１２６を含む。アクティブ電極１２４およびリターン電極１２６は、ケーブル１２８を介して電気外科用ジェネレータ１０２に接続可能であり、ケーブル１２８は、供給ライン１３０およびリターンライン１３２を含む。供給ライン１３０はアクティブ端子１０４に接続可能であり、リターンライン１３２はリターン端子１０６に接続可能である。双極電気外科用鉗子１１４は、ケーブル１２８の端末に配置されているプラグ（明確には示されず）を介して、電気外科用ジェネレータ１０２のアクティブ端子１０４およびリターン端子１０６に接続されている。
【００２５】
電気外科用ジェネレータ１０２は、様々なタイプの電気外科用器具（例えば、単極アクティブ電極１１２および双極電気外科用鉗子１１４）に適合するための複数のコネクタを含み得る。電気外科用ジェネレータ１０２はまた、コネクタ間でＲＦエネルギーの供給を切り換えるための切り替えメカニズム（例えば、中継器）を含み得る。例えば、単極アクティブ電極１１２が電気外科用ジェネレータ１０２に接続されているとき、切り替えメカニズムは、ＲＦエネルギーの供給を単極プラグにだけ切り換える。アクティブ端子１０４およびリターン端子１０６は、電気外科用ジェネレータ１０２の複数のコネクタ（例えば、入力部および出力部）に結合されることにより、様々な器具に電力を供給し得る。
【００２６】
電気外科用ジェネレータ１０２は、電気外科用ジェネレータ１０２を制御するための適切な入力制御部（例えば、ボタン、アクティベータ、スイッチ、またはタッチスクリーン）を含む。さらに、電気外科用ジェネレータ１０２は、ユーザに様々な出力情報（例えば、強度設定および治療完了インジケータ）を提供するための１つ以上のディスプレイスクリーンを含み得る。制御部は、ＲＦ電気エネルギーのパラメータ（例えば、電力または波形）が特定のタスク（例えば、凝固すること、組織を密封すること、または切断すること）に適するように、ユーザがＲＦ電気エネルギーのパラメータを調整することを可能にする。電気外科用器具１１２および１１４はまた、複数の入力制御部を含み得、これら複数の入力制御部は、電気外科用ジェネレータ１０２の特定の入力制御部と重複し得る。入力制御部を電気外科用器具１１２および１１４に配置することは、電気外科用ジェネレータ１０２と相互作用する必要なく、外科処置中におけるＲＦエネルギーパラメータのより容易かつより速い変更を可能にする。
【００２７】
図２は、電気外科システム２００のブロック図であり、電気外科システム２００は、図１のジェネレータ１０２と較正コンピュータシステム２４０とを含む。電気外科システム１００のジェネレータ１０２は、コントローラ２２０と、高圧電源２０２と、無線周波出力ステージ２０６とを含み、これらコントローラ２２０と、高圧電源２０２と、無線周波出力ステージ２０６とは共に動作し、電気外科用器具２３０の電極２０９、２１０を介して組織に適用される電気外科信号を発生させる。コントローラ２２０は、デジタル信号プロセッサ（ＤＳＰ）２２２と、メインプロセッサ２２４と、メモリ２２６とを含む。コントローラ２２０は、任意の適切なマイクロコントローラ、マイクロプロセッサ（例えば、ＨａｒｖａｒｄまたはＶｏｎ  Ｎｅｕｍａｎｎアーキテクチャ）、ＰＬＤ、ＰＬＡ、または他のデジタルロジックであり得る。メモリ２２６は、揮発性メモリ、不揮発性メモリ、ソリッドステートメモリ、磁性メモリ、または他の適切な格納メモリであり得る。
【００２８】
コントローラ２２０はまた、メインプロセッサ２２４と電気外科用ジェネレータ１０２内の他の回路網（例えば、増幅器およびバッファ）との間のインターフェースとして役立つ様々な回路網を含み得る。コントローラ２２０は、メインプロセッサ２２４および／またはＤＳＰ２２２によって使用される様々なフィードバック信号を受信し、ＨＶＰＳ２０２およびＲＦ出力ステージ２０６を含むジェネレータ１０２の様々なサブシステムを制御するための制御信号を発生させる。これらのサブシステムは、図２において負荷２３４（Ｚ負荷）によって表されている組織に対して外科処置を実行するために所望される特性を有する電気外科用エネルギーを発生させるように制御される。
【００２９】
ジェネレータ１０２は、交流（ＡＣ）電源２０３から電力を受け取るＡＣ／ＤＣ電力供給装置２０５を含む。ＡＣ／ＤＣ電力供給装置は、ＡＣを直流（ＤＣ）に変換し、ＤＣをエネルギー変換回路２０４に提供する。次に、エネルギー変換回路２０４は、コントローラ２２０から受信した制御信号に基づいて、第１のエネルギーレベルでのＤＣ電力を第２の異なるエネルギーレベルでのＤＣ電力に変換する。エネルギー変換回路２０４は、第２の異なるエネルギーレベルでのＤＣ電力をＲＦ出力ステージ２０６に供給する。ＲＦ出力ステージ２０６は、ＤＣ電力を逆転させ、高周波交流（例えば、ＲＦ  ＡＣ）を生成し、高周波交流（例えば、ＲＦ  ＡＣ）は、組織に適用される。例えば、ＲＦ出力ステージ２０６は、ＲＦ出力ステージ２０６内に含まれている昇圧変圧器（図示されず）の一次側結合されているプッシュプルトランジスタを使用して、高周波電流を発生させ得る。
【００３０】
電気外科用ジェネレータ１０２は測定回路網を含み、この測定回路網は、組織部位における電圧、電流、インピーダンス、および電力を正確に決定することにより、コントローラ２２０が、このフィードバックを使用して電気外科出力の特性を正確に制御することができるように構成されている。この測定回路網は、ＲＦ出力ステージ２０６の出力部に結合されている電圧センサ２１１と電流センサ２１２とを含む。電圧センサ２１１は、ＲＦ出力ステージ２０６の出力部にまたがる電圧を感知し、感知された電圧２１３（Ｖ感知）を表すアナログ信号をアナログデジタル変換器（ＡＤＣ）２１５に提供し、アナログデジタル変換器（ＡＤＣ）２１５は、アナログ信号をデジタル形式に変換する。同様に、電流センサ２１２は、ＲＦ出力ステージ２０６の出力部における電流を感知し、感知された電流２１４（Ｉ感知）を表すアナログ信号を別のＡＤＣ２１５に提供し、別のＡＤＣ２１５は、アナログ信号をデジタル形式に変換する。
【００３１】
ＤＳＰ２２２は、感知された電圧および感知された電流のデータを受信し、それを使用して、組織部位におけるインピーダンスおよび／または電力を計算する。コントローラ２２０のメインプロセッサ２２４は、感知された電圧、感知された電流、インピーダンス、および／または電力を使用するアルゴリズムを実行し、ＨＶＰＳ２０２および／またはＲＦ出力ステージ２０６を制御する。例えば、メインプロセッサ２２４は、計算された電力およびユーザによって選択され得る所望の電力レベルに基づいてＰＩＤ制御アルゴリズムを実行し、組織部位における所望の電力レベルを達成および維持するためにＲＦ出力ステージ２０６によって供給されるべき電流の量を決定する。
【００３２】
組織に適用される電気外科用エネルギーを正確に制御するために、コントローラ２２０は、組織における電圧および電流を正確に感知する必要がある。しかしながら、電圧センサ２１１によって感知される電圧および電流センサ２１２によって感知される電流は、ＲＦ出力ステージ２０６と電極２０９、２１０との間に接続されている第１の送信ライン２２１および第２の送信ライン２２３に関連するＲＦインピーダンス損失により不正確であり得る。換言すれば、電圧センサ２１１および電流センサ２１２によりＲＦ出力ステージ２０６において測定される電圧および電流は、ＲＦインピーダンス損失により、負荷（すなわち組織）における実際の電圧および電流２３１、２３２と等しくないことがあり得る。
【００３３】
これらのＲＦインピーダンス損失は、第１の送信ライン２２１と直列に接続されているソースインピーダンス２５２および第１の送信ライン２２１と第２の送信ライン２２３との間に接続されている漏れインピーダンス２５４としてモデル化され得る。ソースインピーダンス２５２および漏れインピーダンス２５４のこの配列は、インピーダンス損失モデル２５０を形成する。ＲＦ出力ステージ２０６から出力される（かつ、電圧センサ２１１および電流センサ２１２によって感知される）電圧および電流は、それぞれ、インピーダンス損失モデル２５０に適用される入力電圧２５５（Ｖ入）および入力電流２５６（Ｉ入）を表す。さらに、ジェネレータ１０２から出力され、かつ負荷２３４（Ｚ負荷）に供給される電圧および電流は、インピーダンス損失モデル２５０から出力される出力電圧２５７（Ｖ出）および出力電流２５８（Ｉ出）を表す。
【００３４】
センサデータにエラーを導入するインピーダンス損失を補償するために、電気外科システム２００は、インピーダンス損失モデル２５０のソースインピーダンス２５２および漏れインピーダンス２５４に関連するソースおよび漏れインピーダンス損失モデルパラメータを較正し、次に、これらのパラメータに基づいて新規の感知された電圧および電流を計算する。新規の感知された電圧および電流は、組織における電圧および電流の正確な測定値を表す。
【００３５】
較正プロセスは、電気外科システムの出力部に結合されているテスト用負荷に適用されている電気外科信号の電圧および電流を感知することと、この電圧と電流との間の位相を感知することと、感知された電圧、感知された電流、感知された位相、およびテスト用負荷の所定のインピーダンスに基づいて、ソースインピーダンス損失モデルパラメータおよび漏れインピーダンス損失モデルパラメータを計算することとを含む。テスト用負荷の所定のインピーダンスは、インピーダンスメータによって測定される。
【００３６】
インピーダンス損失モデルパラメータは、ジェネレータ１０２のコントローラ２２０に接続可能である外部の較正コンピュータシステム２４０によって計算される。較正コンピュータシステム２４０は、プロセッサ２４２と、メモリ２４４と、通信インターフェース２４５とを含む。プロセッサ２４２は、通信インターフェース２４５を介して、センサ電圧値と、センサ電流値と、予測される位相値とを含む測定データにアクセスし、その測定データをメモリ２４４に格納する。次に、プロセッサ２４２は、測定データに基づいて、較正プロセスを実行し、インピーダンス損失モデルパラメータを計算する。較正プロセスを実行した後、プロセッサ２４２は、コントローラ２２０のメモリ２２６にインピーダンス損失モデルパラメータをロードする。一部の実施形態において、較正コンピュータシステム２４０の機能は、ジェネレータ１０２のコントローラ２２０によって実行される。
【００３７】
動作中に、メインプロセッサ２２４は、メモリ２２６にアクセスし、較正されたインピーダンス損失モデルパラメータを取り出し、それらをＤＳＰ２２２に提供する。ＤＳＰ２２２は、較正されたインピーダンス損失モデルパラメータと、電圧、電流、および位相測定データとを使用し、組織部位における正確な電圧、電流、インピーダンス、および／または電力を計算する。
【００３８】
較正および補償プロセスの精度は、部分的に、位相の精度に依存する。位相は、感知された電圧および感知された電流をサンプリングすること、および感知された電圧と感知された電流との間の位相を計算することにより決定されることができる。しかしながら、この方法は、複雑なアルゴリズムと、高価で、電力消費が多く、かつ高速度のハードウエアとを必要とする。
【００３９】
本開示の実施形態によると、電気外科システム２００の内部の送信ライン２２１、２２３および外部のケーブル２０７、２０８は、組織に適用される電圧と電流との間の位相が単純な方程式と、安価で、低電力、かつ低速のハードウエアとを使用して予測され得るように物理的に配列および配置される。特に、内部の送信ライン２２１、２２３および外部のケーブル２０７、２０８は、固定された既知のリアクタンス（すなわち、インピーダンスの虚数部分）を有するように構成される。例えば、内部の送信ライン２２１、２２３の巻きは、固定された既知のリアクタンスを有するように特定される。
【００４０】
従って、外部のインピーダンスの変化（例えば、組織のインピーダンスの変化）が、リアクタンスではなく抵抗の変化によって支配される場合、感知された電圧と感知された電流との間の位相は、次の方程式、
【００４１】
【数１】
0005718382.tif 000002
に示されるとおり、感知された外部のインピーダンスに基づいて予測されることができる。ここで、Ｘは、既知のリアクタンスであり、｜Ｚ｜は、感知されたインピーダンスの絶対値である。感知されたインピーダンスの絶対値は、測定された電圧を測定された電流で割ることによって計算される。
【００４２】
図３は、本開示の他の実施形態による電気外科システム３００のブロック図である。電気外科システム３００は、図２のジェネレータ１０２および電気外科用器具２３０が両方とも携帯用ハンドヘルド電気外科用デバイス３０１の中に組み込まれている点を除いて、図２の電気外科システムと同様である。ハンドヘルド電気外科用デバイス３０１は、ハンドヘルド電気外科用デバイス３０１の様々な回路網に電力を提供するバッテリパック３２０を組み込み得る。
【００４３】
図２の電気外科システム２００と同様に、電気外科システム３００における電圧センサ２１１によって感知される電圧および電流センサ２１２によって感知される電流は、ＲＦ出力ステージ２０６と電極３０３、３０４との間に接続されている送信ライン３０５、３０６に関連するＲＦインピーダンス損失により、組織部位における実際の電圧および電流と等しくないことがあり得る。ＲＦインピーダンス損失は、図２のものと同じインピーダンス損失モデル２５０を使用することによってモデル化および補償され得る。
【００４４】
上述のように、較正および補償プロセスの精度は、部分的に、位相の精度に依存する。位相は、感知された電圧および感知された電流をサンプリングすること、および感知された電圧と感知された電流との間の位相を計算することにより決定されることができる。しかしながら、この方法は、複雑なアルゴリズムと、高価で、電力消費が多く、かつ高速のハードウエアとを必要とする。
【００４５】
電気外科システム３００の内部の送信ライン３０５、３０６は、組織に適用されている電圧と電流との間の位相が図２の電気外科システム２００に関して上述された態様と同様の態様で予測され得るように物理的に配列および配置される。例えば、内部の送信ライン３０５、３０６は、固定された既知のリアクタンス（すなわち、インピーダンスの虚数部）を有するように構成される。特に、内部の送信ライン３０５、３０６の巻きは、固定された既知のリアクタンスを有するように特定される。
【００４６】
図４は、本開示の実施形態によるインピーダンス損失モデル較正手順を示す。ハンドヘルド電気外科用デバイス３０１が外科処置を実行するために使用される前に、較正手順が、インピーダンス損失モデルパラメータ（ケーブル補償値とも称される）を決定するために実行される。図４に示されるように、較正手順は、電気外科用デバイス３０１の電極に結合されているテスト用負荷に適用されている電圧および電流を感知すること（ステップ４０２）と、感知された電圧および感知された電流に基づいて感知されたインピーダンス値を計算すること（ステップ４０４）と、感知されたインピーダンス値に基づいて感知された電圧と感知された電流との間の位相を予測すること（ステップ４０６）と、予測された位相値、感知された電圧、感知された電流、およびテスト用負荷の所望のインピーダンスに基づいて少なくとも１つのインピーダンス値（例えば、ソースインピーダンスＺソース２１０の値および／または漏れインピーダンスＺ漏れ２１０の値）を計算すること（ステップ４０８）とを含む。
【００４７】
較正手順に対して、テスト用負荷は、組織のインピーダンスを表す電力抵抗器、負荷抵抗器、または他の抵抗素子であり得る。一部の実施形態において、テスト用負荷の所望のインピーダンスは、周波数を電気外科用デバイスの動作周波数、例えば４７０ｋＨｚに設定した状態で、インピーダンスメータ、例えばＬＣＲメータを使用して測定されたインピーダンスである。
【００４８】
図５は、図４のインピーダンス損失モデルパラメータを計算する方法の流れ図である。最初に、感知された電圧は、予測された位相値に基づいてピーク電圧値に変換される（ステップ５０２）。同様に、感知された電流は、予測された位相値に基づいてピーク電流値に変換される（ステップ５０４）。次に、損失モデルパラメータが、ピーク電圧値、ピーク電流値、および所望の負荷インピーダンス値に基づいて逆算される。
【００４９】
図６は、本開示の他の実施形態による、インピーダンス損失モデルパラメータ、すなわちソースインピーダンスパラメータおよび漏れインピーダンスパラメータを較正する方法の流れ図である。この較正方法は、ある範囲の定格抵抗値またはインピーダンス値を有する複数のテスト用負荷を使用する。なぜなら、電気外科システムの送信ラインまたはケーブルのリアクタンスは、組織のインピーダンスに基づいて変化するからである。例えば、低い抵抗負荷に対しては、ソースインピーダンス損失が支配的であり、高い抵抗負荷に対しては、漏れインピーダンス損失が支配的である。
【００５０】
一部の実施形態において、電力抵抗器の抵抗は、０オームから５０００オームに及び得る。他の実施形態において、電力抵抗器の抵抗は、０オームから１５００オームに及び得る。
【００５１】
最初に、電圧および電流が、複数のテスト用負荷、例えば電力抵抗器の各々にわたり感知または測定され、これら複数のテスト用負荷は、電気外科システムの出力部に別々に結合され、複数の感知された電圧および複数の感知された電流を取得する（ステップ６０２）。電圧および電流測定値は、動作モード（例えば双極の規格）と、もし存在する場合は、電気外科システムの出力ポートとが選択された後に取られる。さらに、双極の規格に対して、制御は、閉ループ制御に設定され、出力電力は、所望のレベル、例えば５０Ｗに設定される。一部の実施形態において、テスト用負荷の各々に適用されているｒｍｓ電圧およびｒｍｓ電流（Ｖ感知およびＩ感知）は、図１および図２に示されるように電気外科用ジェネレータ内に配置されたＡＤＣ２１５を使用して測定される。
【００５２】
次に、感知された電圧および電流は、テスト用負荷の各々に対するセンサインピーダンス値を計算するために使用される（ステップ６０４）。例えば、センサインピーダンス値は、次の方程式、
【００５３】
【数２】
0005718382.tif 000003
により計算される。次に、これらのセンサインピーダンス値は、テスト用負荷の各々に対する感知された電圧と感知された電流との間の位相を予測するために使用される（ステップ６０６）。予測される位相値は、センサインピーダンス値の多項式関数により計算され得る。そのような多項式関数の例は、
【００５４】
【数３】
0005718382.tif 000004
であり、ここで、多項式係数は、
【００５５】
【数４】
0005718382.tif 000005
である。
【００５６】
多項式関数は、公知の曲線の当てはめ技術を使用して決定され得る。曲線の当てはめ技術は、固定された内部のソースインピーダンスおよび固定された内部の漏れインピーダンスを条件に、最小の負荷（例えば、０オーム）から最大の負荷（例えば、１５００または５０００オーム）まで変化する外部の負荷にわたって測定された絶対インピーダンスに基づいて位相の変化を近似するために使用される。換言すれば、実際のインピーダンス（すなわち、組織の抵抗）が、最小値から最大値へ変化し、虚数インピーダンス（すなわち、リアクタンス）が、固定されたままであるとき、絶対インピーダンスと実際のインピーダンスとの間には関係がある。曲線の当てはめ技術は、考えられる実際のインピーダンス値（例えば、０〜１５００オーム）の範囲にわたって多項式関数をこの関係に当てはめるために適用され得る。
【００５７】
曲線の当てはめ技術によって決定される多項式関数の多項式係数は、各特定のジェネレータに対して一意的である。一部の実施形態において、虚数インピーダンス（すなわち、リアクタンス）は、ジェネレータの内部にあるＲＦ送信ワイヤの巻き数を特定することによって、特定のタイプのジェネレータの様々な製造例にわたって固定され得る。これらの実施形態において、共通の一組の多項式係数が、その特定のタイプの全てのジェネレータに対して使用されることができる。
【００５８】
較正手順の前に、または較正手順中に、テスト用負荷が、インピーダンスメータ、例えばＬＣＲメータのリードに、テスト用ケーブル、例えば短いバナナケーブルを介して、別々に接続され、各テスト用負荷のインピーダンスを測定する。例えば、以下のそれぞれの定格抵抗値を有する以下の電力抵抗器が測定され得、以下のそれぞれの実測インピーダンス値を取得する。
【００５９】
【表１】
0005718382.tif 000006
【００６０】
【表１−１】
0005718382.tif 000007
一部の実施形態において、電力抵抗器は、０オームの定格抵抗値を有する電力抵抗器をさらに含み得る。テスト用ケーブル、例えば短いバナナケーブルのインピーダンス、およびテスト用負荷、例えば電力抵抗器のインピーダンスが、一緒に測定される場合、テスト用ケーブルのインピーダンスは、較正の計算に含まれない。一方、テスト用ケーブルのインピーダンスが、電力抵抗器のインピーダンスとは別個に測定される場合、テスト用ケーブルのインピーダンスは、較正の計算に含まれる。例えば、第１のテスト用ケーブル（ケーブル１）の測定されたインピーダンスは、０．０５３３＋２．１２ｉオームであり得、第２のテスト用ケーブル（ケーブル２）の測定されたインピーダンスは、０．０３０５＋１．６２ｉオームであり得る。
【００６１】
一部の実施形態において、測定されたｒｍｓ電圧、測定されたｒｍｓ電流、計算された位相、およびテスト用負荷およびテスト用ケーブルの実測インピーダンスは、例えば、
【００６２】
【表２】
0005718382.tif 000008
のような入力アレイを形成する。この入力アレイは、較正コンピュータシステム２４０のメモリ２４４に格納され得、プロセッサ２４２は、入力アレイの中の測定データを取り出し、測定データに基づいて損失モデルパラメータを計算することができる。
【００６３】
図６を再度参照すると、ステップ６０８において、ソースインピーダンスパラメータは、第１の負荷に対応する第１の予測された位相値、第１の感知された電圧、第１の感知された電流、および第１の所定の負荷インピーダンス値に基づいて計算される。次に、ステップ６１０において、漏れインピーダンスパラメータは、第２の負荷に対応する第２の予測された位相値、第２の感知された電圧、第２の感知された電流、および第２の所定の負荷インピーダンス値に基づいて計算される。第１および第２の所定の負荷インピーダンス値は、それぞれ、インピーダンスメータを使用して第１および第２の負荷のインピーダンスを測定することによって取得される。一部の実施形態において、第１および第２の所定の負荷インピーダンス値は、インピーダンスメータを使用して複数の負荷のインピーダンスを測定することによって取得される複数の所定の負荷インピーダンス値から選択される。
【００６４】
一部の実施形態において、インピーダンス損失モデルパラメータは、逆算技術を使用して計算される。逆算技術によると、ある範囲の負荷にわたって測定精度を最適化するために、適切なテスト用負荷のデータが最初に選択される。例えば、低いインピーダンスのデータ、例えば５オームの負荷に対するデータが、ソースインピーダンス損失モデルパラメータを決定するために使用され得、高いインピーダンスのデータ、例えば１５００オームの負荷に対するデータが、漏れインピーダンス損失モデルパラメータを決定するために使用され得る。次に、インピーダンス損失モデルパラメータが、異なるテスト用負荷に対する測定データ（例えば、感知された電圧、感知された電流、感知された位相、および所定のインピーダンス）に基づいて計算される。例えば、より詳細に以下に記述されるように、ソースインピーダンス損失モデルパラメータは、低いインピーダンス負荷に対する測定データに基づいて計算され、漏れインピーダンス損失モデルパラメータは、高いインピーダンス負荷に対する測定データに基づいて計算される。
【００６５】
図７は、図６のソースインピーダンス損失モデルパラメータを計算する方法の流れ図である。ステップ７０２において、第１の感知された電圧（例えば、低いインピーダンスのテスト用負荷が電極３０３、３０４にまたがって配置されている状態で、電圧センサ２１１によって感知された第１の電圧）は、第１のピーク電圧値に変換され、第１の感知された電流（例えば、低いインピーダンスのテスト用負荷が電極３０３、３０４にまたがって配置されている状態で、電流センサ２１２によって感知された第１の電流）は、第１の予測された位相値に基づいて第１のピーク電流値に変換される。例えば、第１の感知された電圧および第１の感知された電流は、次の方程式、
【００６６】
【数５】
0005718382.tif 000009
により矩形のピーク値に変換される。ここで、Ｉピーク，１は、第１のピーク電流値を表し、Ｉ感知，１は、第１の感知された電流を表し、
【００６７】
【数６】
0005718382.tif 000010
は、第１の予測された位相値を表し、Ｖピーク，１は、第１のピーク電圧値を表し、そして、Ｖ感知，１は、第１の感知された電圧を表す。
【００６８】
次に、第１の出力電圧値が、第１のピーク電圧値、第１のピーク電流値、および前のソースインピーダンス損失モデルパラメータ（本明細書では、前のソースインピーダンスパラメータとも称される）に基づいて計算される（ステップ７０４）。例えば、第１の出力電圧値は、次の方程式、
【００６９】
【数７】
0005718382.tif 000011
により、第１のソース電圧（Ｖソース，１）、すなわち前のソースインピーダンス損失モデルパラメータ（Ｚソース（ｎ−１））にまたがる電圧降下を最初に計算することによって計算される。一部の実施形態において、前のソースインピーダンスパラメータおよび前の漏れインピーダンスパラメータは、損失モデル較正手順の第１回目の反復の前の初期値に設定される。次に、第１の出力電圧（Ｖ出，１）は、次の方程式、
【００７０】
【数８】
0005718382.tif 000012
により計算される。
【００７１】
次に、第１の出力電流値は、第１の出力電圧値、ピーク電流値、および前の漏れインピーダンス損失モデルパラメータ（本明細書では、前の漏れインピーダンスパラメータとも称される）に基づいて計算される（ステップ７０６）。例えば、第１の出力電流値（Ｉ出，１）は、次の方程式、
【００７２】
【数９】
0005718382.tif 000013
により、第１の漏れ電流、すなわち前の漏れインピーダンス損失モデルパラメータ（Ｚ漏れ（ｎ−１））を通って流れる電流を最初に計算することによって計算される。一部の実施形態において、次に、第１の出力電流値は、次の方程式、
【００７３】
【数１０】
0005718382.tif 000014
により計算される。
【００７４】
最後に、ソースインピーダンス損失モデルパラメータが、第１の出力電流値、第１の所定の負荷インピーダンス値（例えば、第１のテスト用負荷の予め測定されたインピーダンス値）、第１のピーク電圧値、および第１のピーク電流値に基づき逆算される（ステップ７０８）。
【００７５】
ソースインピーダンス損失モデルパラメータを逆算する方法が、図１０に示されている。最初に、所望の出力電圧値（Ｖ出（所望））が、第１の出力電流値に第１の所定の負荷インピーダンス値（Ｚ負荷，１）を掛けること、すなわち、
【００７６】
【数１１】
0005718382.tif 000015
によって逆算される。
次に、所望のソース電圧Ｖソース（所望）が、第１のピーク電圧値から所望の出力電圧値を差し引くこと、すなわち、
【００７７】
【数１２】
0005718382.tif 000016
によって逆算される。
最後に、電流ソースインピーダンス損失モデルパラメータＺソース（ｎ）が、所望のソース電圧値を第１のピーク電流値で割ること、すなわち、
【００７８】
【数１３】
0005718382.tif 000017
によって逆算される。
【００７９】
図８は、図６の漏れインピーダンス損失モデルパラメータを計算する方法の流れ図である。ステップ８０２において、第２の感知された電圧（例えば、高いインピーダンスのテスト用負荷が電極３０３、３０４にまたがって配置されている状態で、電圧センサ２１１によって感知された第２の電圧）が、第２のピーク電圧値に変換され、第２の感知された電流（例えば、高いインピーダンスのテスト用負荷が電極３０３、３０４にまたがって配置されている状態で、電流センサ２１２によって感知された第２の電流）が、第２の予測された位相値に基づき第２のピーク電流値に変換される。
【００８０】
例えば、第２の感知された電圧および第２の感知された電流は、次の方程式、
【００８１】
【数１４】
0005718382.tif 000018
により矩形のピーク値に変換される。ここで、Ｉピーク，２は、第２のピーク電流値を表し、Ｉ感知，２は、第２の感知された電流を表し、
【００８２】
【数１５】
0005718382.tif 000019
は、第２の予測された位相値を表し、Ｖピーク，２は、第２のピーク電圧値を表し、そして、Ｖ感知，２は、第２の感知された電圧を表す。
【００８３】
次に、第２の出力電圧値は、第２のピーク電圧値、第２のピーク電流値、および前のソースインピーダンス損失モデルパラメータに基づいて計算される（ステップ８０４）。例えば、第２の出力電圧値は、次の方程式、
【００８４】
【数１６】
0005718382.tif 000020
により、第２のソース電圧（Ｖソース，２）、すなわち前のソースインピーダンス損失モデルパラメータ（Ｚソース（ｎ−１））にまたがる電圧降下を最初に計算することによって計算される。次に、第２の出力電圧（Ｖ出，２）は、次の方程式、
【００８５】
【数１７】
0005718382.tif 000021
により計算される。
【００８６】
最後に、漏れインピーダンス損失モデルパラメータが、第２の出力電圧値、第２の所定の負荷インピーダンス値（例えば、第２のテスト用負荷の予め測定されたインピーダンス値）、および第２のピーク電流値に基づき逆算される（ステップ８０６）。
【００８７】
漏れインピーダンス損失モデルパラメータを逆算する方法が、図１１に示されている。最初に、所望の出力電流値（Ｉ出（所望））が、第２の出力電圧値を第２の所定の負荷インピーダンス値（Ｚ負荷，２）で割ること、すなわち、
【００８８】
【数１８】
0005718382.tif 000022
によって逆算される。
次に、所望の漏れ電流Ｉ漏れ（所望）が、第２のピーク電流値から所望の出力電流値を差し引くこと、すなわち、
【００８９】
【数１９】
0005718382.tif 000023
によって逆算される。
最後に、電流漏れインピーダンス損失モデルパラメータＺ漏れ（ｎ）が、第２の出力電圧値を所望の漏れ電流値で割ること、すなわち、
【００９０】
【数２０】
0005718382.tif 000024
によって逆算される。
【００９１】
一部の実施形態において、ソースインピーダンス損失モデルパラメータおよび漏れインピーダンス損失モデルパラメータは、反復の態様で一緒に計算される。インピーダンス損失モデルパラメータを反復計算する例示的な方法が、図９の流れ図に示されている。ステップ９０２において、第１および第２の感知された電圧が、第１および第２のピーク電圧値に変換され、第１および第２の感知された電流値が、第１および第２の予測された位相値に基づいて第１および第２のピーク電流値に変換される。次に、図７のステップ７０４〜７０８と同一であるステップ９０４〜９０８において、ソースインピーダンス損失モデルパラメータが計算される。次に、図８のステップ８０４〜８０６と同一であるステップ９１０〜９１２において、漏れインピーダンス損失モデルパラメータが計算される。
【００９２】
最後に、ステップ９１４において、反復の数が所定の値よりも大きいかどうかが決定される。反復の数が所定の値よりも大きいと決定された場合、インピーダンス損失モデルパラメータを計算する方法は、ステップ９１７において終了する。そうではない場合、反復の数はステップ９１６において（例えば、１だけ）増加され、ステップ９０４〜９１２が繰り返される。一部の実施形態において、所定の値は、正確なインピーダンス損失モデルパラメータを生成する反復の数に設定される。
【００９３】
一部の実施形態において、複数の冗長なＤＳＰがインピーダンス損失モデルパラメータを決定するために使用され、精度を確保する。例えば、図３に示されるように、較正コンピュータシステム３４０は、第１のＤＳＰ３４１と第２のＤＳＰ３４２とを含む。第１のＤＳＰ３４１は、上述の様々な方法に従ってソースおよび漏れインピーダンス損失モデルパラメータを計算し、第２のＤＳＰ３４２は、同じ計算を実行する。次に、ＤＳＰ３４１、３４２によって計算されたインピーダンス損失モデルパラメータは平均され、平均ソースインピーダンスパラメータおよび平均漏れインピーダンスパラメータを取得する。プロセッサ２４２は、平均ソースインピーダンスパラメータおよび平均漏れインピーダンスパラメータを受信し、通信インターフェース２４５を介してそれらをコントローラ２２０に送信する。他の実施形態において、較正コンピュータシステム３４０は、図３のコントローラ２２０または携帯用電気外科用デバイス３０１の中に実装される。
【００９４】
電気外科システム２００、３００が、外科処置を実行するために使用されるとき、較正されたインピーダンス損失モデルパラメータは、負荷における電力および／またはインピーダンス測定の精度に対するインピーダンス損失の影響を補償するために使用される。図１２に示されるように、補償プロセスは、電気外科用デバイスによって発生させられ、組織部位に適用されている電気外科信号の電圧および電流を感知すること（ステップ１２０２）と、感知された電圧および感知された電流に基づき位相値を予測すること（ステップ１２０４）と、感知された電圧、感知された電流、予測された位相値、および電気外科システムに関連する少なくとも１つのインピーダンス損失モデルパラメータに基づき組織部位における少なくとも１つのメトリックを計算すること（ステップ１２０６）とを含む。組織部位における少なくとも１つのメトリックは、電圧、電流、電力、および／またはインピーダンスを含む。さらに、少なくとも１つのインピーダンス損失モデルパラメータは、ソースインピーダンスパラメータおよび／または漏れインピーダンスパラメータを含む。
【００９５】
図１３に示されるように、組織部位における少なくとも１つのメトリックを計算することは、予測された位相値に基づき、感知された電圧を複素電圧値に変換すること（ステップ１３０２）と、予測された位相値に基づき、感知された電流を複素電流値に変換すること（ステップ１３０２）と、複素電圧値、複素電流値、および少なくとも１つの損失モデルパラメータに基づき組織部位における少なくとも１つのメトリックを計算すること（ステップ１３０４）とを含む。
【００９６】
図１４に示されるように、位相値を予測することは、感知された電圧および感知された電流に基づき、感知されたインピーダンス値を計算すること（１４０２）と、感知されたインピーダンス値に基づき位相値を予測すること（１４０４）とを含む。一部の実施形態において、位相値を予測することは、感知されたインピーダンス値の多項式関数に基づく。多項式関数は、三次多項式関数であり得る。
【００９７】
図１５に示されるように、組織部位における少なくとも１つのメトリックを計算することは、ネットワークソリューション計算を実行し、組織部位におけるインピーダンスを決定することを含む。これらの計算は、感知された電流（Ｉ感知）にソースインピーダンスパラメータ（Ｚソース）を掛け、ソースインピーダンス電圧値（Ｖｚソース）を取得することを最初に含む（１５０２）。ステップ１５０４において、感知された電圧（Ｖ感知）からソースインピーダンス電圧値（Ｖｚソース）が差し引かれ、負荷電圧値（Ｖ負荷）を取得する。ステップ１５０６において、負荷電圧値（Ｖ負荷）が、漏れインピーダンスパラメータ（Ｚ漏れ）によって割られ、漏れ電流値（Ｉ漏れ）を取得する。ステップ１５０８において、感知された電流（Ｉ感知）から漏れ電流値（Ｉ漏れ）が差し引かれ、負荷電流値（Ｉ負荷）を取得する。最後に、ステップ１５１０において、負荷電圧値（Ｖ負荷）が、負荷電流値（Ｉ負荷）によって割られ、負荷インピーダンス値（Ｚ負荷）を取得する。負荷電圧値（Ｖ負荷）および負荷電流値（Ｉ負荷）は、組織部位における電力を計算するためにも使用されることができる。
【００９８】
本開示の例示的な実施形態が、添付の図面を参照して本明細書に記述されたが、しかし、本開示はそれら正確な実施形態に限定されないこと、ならびに様々な他の変更および改変が本開示の範囲または精神から逸脱することなく当業者によってそれらの中でなされ得ることが理解されるべきである。
【符号の説明】
【００９９】
１００  電気外科システム
１０２  電気外科用ジェネレータ
１０４  端子
１０６  端子
１１０  リターンパッド
１１２  電気外科用器具
１１４  電気外科用器具
１１６  供給ライン
１１８  リターンライン
１２０  リターン電極
１２２  リターン電極
１２４  電極
１２６  電極
１２８  ケーブル
１３０  供給ライン
１３２  リターンライン
１３４  第１の顎部材
１３６  第２の顎部材
【図１】
0005718382.tif 000025
【図２】
0005718382.tif 000026
【図３】
0005718382.tif 000027
【図４】
0005718382.tif 000028
【図５】
0005718382.tif 000029
【図６】
0005718382.tif 000030
【図７】
0005718382.tif 000031
【図８】
0005718382.tif 000032
【図９】
0005718382.tif 000033
【図１０】
0005718382.tif 000034
【図１１】
0005718382.tif 000035
【図１２】
0005718382.tif 000036
【図１３】
0005718382.tif 000037
【図１４】
0005718382.tif 000038
【図１５】
0005718382.tif 000039